【手続補正書】
【提出日】平成18年6月7日(2006.6.7)
【手続補正１】
【補正対象書類名】明細書
【補正対象項目名】発明の名称
【補正方法】変更
【補正の内容】
【発明の名称】音声認識装置、及びナビゲーション装置
【手続補正２】
【補正対象書類名】明細書
【補正対象項目名】特許請求の範囲
【補正方法】変更
【補正の内容】
【特許請求の範囲】
【請求項１】  入力音声と、認識用辞書に記憶された音声認識用単語とを比
較して該入力音声を認識する音声認識装置において、
予め定められた音声認識用単語が登録された汎用辞書と、
該汎用辞書から音声認識用単語を選択する選択手段と、
該選択手段により選択された音声認識用単語が識別可能に登録されるカスタム
辞書と、
該カスタム辞書に登録された音声認識用単語を前記認識用辞書に設定するカス
タム単語設定手段とを備えていることを特徴とする音声認識装置。
【請求項２】  前記カスタム辞書が、前記汎用辞書に登録された全ての音声
認識用単語に、それぞれ要、不要の選択情報を付与した状態で前記音声認識用単
語を登録したものであり、
前記選択手段が、前記選択情報を付与することにより前記音声認識用単語を選
択するものであり、
前記カスタム単語設定手段が、前記選択情報が要である音声認識用単語を前記
認識用辞書に設定するものであることを特徴とする請求項１記載の音声認識装置
。
【請求項３】  前記カスタム辞書が複数設けられており、
これら複数のカスタム辞書から、前記選択された音声認識用単語を識別可能に
登録させるカスタム辞書を選択する登録辞書選択手段と、
複数のカスタム辞書の中から前記認識用辞書に設定すべきカスタム辞書を選択
する設定辞書選択手段とを備えていることを特徴とする請求項１又は請求項２記
載の音声認識装置。
【請求項４】  前記認識用辞書に設定すべき音声認識用単語が登録された辞
書として、前記汎用辞書を強制的に選択するための汎用辞書強制選択手段を備え
ていることを特徴とする請求項１〜３のいずれかの項に記載の音声認識装置。
【請求項５】  前記汎用辞書強制選択手段が、音声認識により前記汎用辞書
の強制選択操作を検出する検出手段を備え、
前記認識用辞書には、前記汎用辞書の強制選択可能状態において、前記検出手
段により前記汎用辞書の強制選択操作が検出されると、この強制選択操作に対応
する音声認識用単語が登録されることを特徴とする請求項４記載の音声認識装置
。
【請求項６】  入力音声と、認識用辞書に記憶された音声認識用単語とを比
較して該入力音声を認識する音声認識装置において、
前記音声認識用単語を認識するのに適した発声方法を示唆する形態で、前記音
声認識用単語を報知する第１の単語報知手段を備えていることを特徴とする音声
認識装置。
【請求項７】  前記第１の単語報知手段が、
前記音声認識用単語を視認可能に表示する表示手段と、
前記音声認識用単語を認識するのに適した発声速度に即して、表示された前記
音声認識用単語を発声文字順に順次変色させる変色手段とを備えていることを特
徴とする請求項６記載の音声認識装置。
【請求項８】  予め定められた練習のための音声認識用単語が登録された練
習用基本辞書と、
ユーザーが練習のための音声認識用単語を登録できる練習用登録辞書と、
ユーザーの選択操作に応じて前記練習用基本辞書と前記練習用登録辞書との内
から、前記第１の単語報知手段が報知する音声認識用単語が登録された辞書を選
択する練習辞書選択手段とを備えていることを特徴とする請求項６又は請求項７
記載の音声認識装置。
【請求項９】  音声認識の失敗による音声入力のやり直しの回数を、音声認
識用単語毎に記憶する回数記憶手段を備え、
前記第１の単語報知手段が、前記回数記憶手段に記憶されたやり直しの回数の
多い音声認識用単語を報知するものであることを特徴とする請求項６〜８のいず
れかの項に記載の音声認識装置。
【請求項１０】  入力音声と、認識用辞書に記憶された音声認識用単語とを
比較して該入力音声を認識する音声認識装置において、
音声認識用単語を報知する第２の単語報知手段と、
入力音声と前記第２の単語報知手段により報知された音声認識用単語とを比較
する比較手段と、
該比較手段による比較結果から、入力音声の音声認識に関する好適度を評価す
る評価手段とを備えていることを特徴とする音声認識装置。
【請求項１１】  入力音声と、認識用辞書に記憶された音声認識用単語とを
比較して該入力音声を認識する音声認識装置において、
入力音声の音声認識により得られた単語の最後尾の音を先頭の音とする単語を
前記認識用辞書から検索する単語検索手段と、
該単語検索手段により検索された単語を報知する第３の単語報知手段とを備え
ていることを特徴とする音声認識装置。
【請求項１２】 入力音声と、認識用辞書に記憶された音声認識用単語とを
比較して該入力音声を認識する音声認識装置を備えたナビゲーション装置におい
て、
前記音声認識装置が、
予め定められた音声認識用単語が登録された汎用辞書と、
該汎用辞書から音声認識用単語を選択する選択手段と、
該選択手段により選択された音声認識用単語が識別可能に登録されるカスタム
辞書と、
該カスタム辞書に登録された音声認識用単語を前記認識用辞書に設定するカス
タム単語設定手段とを備えていることを特徴とするナビゲーション装置。
【手続補正３】
【補正対象書類名】明細書
【補正対象項目名】０００１
【補正方法】変更
【補正の内容】
【０００１】
【発明の属する技術分野】
本発明は音声認識装置、及びナビゲーション装置に関し、より詳細には音声入
力による制御を可能とする電子機器と組み合わせて使用される音声認識装置、音
声認識する単語の発声練習を行える音声認識装置、及び音声入力による制御を可
能とするナビゲーション装置に関する。
【手続補正４】
【補正対象書類名】明細書
【補正対象項目名】０００６
【補正方法】変更
【補正の内容】
【０００６】
本発明は上記課題に鑑みなされたものであって、認識率を向上させることがで
きるとともに応答速度の高速化を図ることができる音声認識装置、ユーザーが音
声認識技術に関する理解を深めることができ、認識率の向上を図ることができる
音声認識装置、及び認識率を向上させることができるとともに応答速度の高速化
を図ることのできる、音声入力による制御を可能とするナビゲーション装置を提
供することを目的としている。
【手続補正５】
【補正対象書類名】明細書
【補正対象項目名】００２１
【補正方法】変更
【補正の内容】
【００２１】
また本発明に係る音声認識装置（１１）は、入力音声と、認識用辞書に記憶さ
れた音声認識用単語とを比較して該入力音声を認識する音声認識装置において、
入力音声の音声認識により得られた単語の最後尾の音を先頭の音とする単語を前
記認識用辞書から検索する単語検索手段と、該単語検索手段により検索された単
語を報知する第３の単語報知手段とを備えていることを特徴としている。
上記音声認識装置（１１）によれば、単語検索手段が、入力音声の音声認識に
より得られた単語の最後尾の音を先頭の音とする単語を前記認識用辞書から検索
し、この検索された単語を第３の単語報知手段が報知することから、ユーザーと
いわゆるシリトリを行うことができるものとなる。したがって、この音声認識装
置を娯楽用として用いることができるとともに、楽しみながら気軽に発声練習を
行うことができる。
また本発明に係るナビゲーション装置（１）は、入力音声と、認識用辞書に記
憶された音声認識用単語とを比較して該入力音声を認識する音声認識装置を備え
たナビゲーション装置において、前記音声認識装置が、予め定められた音声認識
用単語が登録された汎用辞書と、該汎用辞書から音声認識用単語を選択する選択
手段と、該選択手段により選択された音声認識用単語が識別可能に登録されるカ
スタム辞書と、該カスタム辞書に登録された音声認識用単語を前記認識用辞書に
設定するカスタム単語設定手段とを備えていることを特徴としている。
上記したナビゲーション装置（１）によれば、前記カスタム単語設定手段が前
記カスタム辞書に登録された音声認識用単語を前記認識用辞書に設定するため、
入力音声がカスタム辞書内の音声認識用単語と比較されて認識される。ここで、
カスタム辞書は、汎用辞書から例えばユーザーにより必要又は不要として選択さ
れた音声認識用単語を識別可能に登録したものからなる。よって音声認識に際し
て、カスタム辞書から例えばユーザーが必要とする音声認識用単語を認識用辞書
に設定して入力音声と比較（照合）することが可能になるので、汎用辞書よりも
少ない音声認識用単語で認識を行うことができ、ユーザーが不要とする音声認識
用単語と入力音声との無駄な比較処理を省略することができる。したがって、認
識率の向上及び認識応答時間の高速化を図ることができる。
【手続補正６】
【補正対象書類名】明細書
【補正対象項目名】００２２
【補正方法】変更
【補正の内容】
【００２２】
【発明の実施の形態】                                                
以下、本発明に係る音声認識装置、及びナビゲーション装置の実施の形態を図
面に基づいて説明する。
図１は実施の形態（１）に係る音声認識装置の概略構成を示すブロック図であ
り、図２は実施の形態（１）に係る音声認識装置の本体側の構成を示すブロック
図である。
図１に示すようにこの音声認識装置１０は、本体１１と、本体１１に接続され
た音声入力手段としてのマイク１２と、ユーザーが本体１１を遠隔操作するため
の操作スイッチが装備されたリモートコントローラ１３とを備えて構成されてい
る。